(57)【要約】【課題】  握力が弱っている高齢者や障害者等でも握りやすく手が滑りにくいようにした手摺り及びそれを備えた構造体を提供する。【解決手段】  手摺りＴ１は、手摺り本体１と、取着金具２と、キャップ体３を備えている。手摺り本体１は、湾曲部１０と、この部分と反対方向に湾曲した湾曲部１１とを交互に連続して有するように形成してある。この湾曲部１０と湾曲部１１とで挟まれた間には、所要の長さを有する直線部１２が備えてある。【選択図】        図１
2004156437.tif 000002
【特許請求の範囲】
【請求項１】
本質的に正弦曲線状または余弦曲線状に形成された部分を有することを特徴とする、
手すり。
【請求項２】
一方向に湾曲した部分と、当該湾曲した部分と反対方向に湾曲した部分とを交互に有するように形成してあることを特徴とする、
手すり。
【請求項３】
傾斜部に沿って設けたときに立ち上がる部分と本質的に水平な部分とを備えており、当該立ち上がる部分と水平な部分とは長さ方向に交互に設けてあることを特徴とする、
手すり。
【請求項４】
請求項１，２または３記載の手すりが設けてあることを特徴とする、
手すり構造体。
【発明の詳細な説明】
【技術分野】
【０００１】
本発明は手すり及び手すり構造体に関する。更に詳しくは、握力が弱っている高齢者や障害者等でも握りやすく、手が滑りにくいようにした手すり及び手すり構造体に関する。また、腕を伸ばさずとも立ち上がりや腰掛けの動作の補助ができる手すり及び手すり構造体に関する。
【背景技術】
【０００２】
近年の建築物には、階段やスロープをはじめ浴室やトイレ、玄関等、バリアフリーの観点から、体の支えが必要とされる場所には手すりが設けられている。従来の手すりは、直線状（浴室やトイレ、玄関等に設けられるものについては、直線状のものを組み合わせてＬ字状に形成してあるもの等もある）のものが一般的である。
【発明の開示】
【発明が解決しようとする課題】
【０００３】
しかし、従来からある、例えば、階段に設けてある直線状の手すりには、次のような課題があった。
階段の手すりは、階段の傾斜に沿うように斜めに設けてある。通常、手すりは、体の脇や少し前方の部分にて、手首を曲げて手のひらを手すりの上面に沿わせた状態で握られる。しかし、この握り方は力が入れにくかった。そのため握力が弱っている高齢者や障害者等では、十分に握ることができず、手を滑らせてしまい転倒してしまう危険があった。
【０００４】
また、例えば、浴室やトイレ、玄関等に設けてある直線状の手すりには、次のような課題があった。
浴室やトイレ、玄関等に設けてある手すりは、大体において縦方向に延びた部分を備えており、この部分を握って立ち上がったり腰掛けたりされる。これによると、例えば、腰掛ける場合には、手すりを握り腰を落として斜め後方にかがむようにするが、かがむにつれて段々と腕が伸びた状態となって支えきれなくなり、手が離れて勢いで臀部を床等に打ち付ける危険があった。また、立ち上がる場合には、腰掛けの手順と反対に、腕を伸ばして手すりを握り、そのまま体を引き寄せるようにするが、伸びきった状態の腕で体を引き寄せることは困難であった。
なお、直線状のものを斜めに設けることにより、立ち上がりや腰掛けの際に、腕を伸ばさなくても良いようにもできるが、この場合では、上記した階段に設けた手すりと同じ握り方となるので、力を入れて握ることができず、余計に危険である。
【０００５】
本発明の目的は、握力が弱っている高齢者や障害者等でも握りやすく、手が滑りにくいようにした手すり及び手すり構造体を提供することにある。
また、本発明の他の目的は、腕を伸ばさずとも立ち上がりや腰掛けの動作の補助ができる手すり及び手すり構造体を提供することにある。
【課題を解決するための手段】
【０００６】
上記目的を達成するために講じた本発明の手段は次のとおりである。
第１の発明にあっては、
本質的に正弦曲線状または余弦曲線状に形成された部分を有することを特徴とする、
手すりである。
【０００７】
第２の発明にあっては、
一方向に湾曲した部分と、当該湾曲した部分と反対方向に湾曲した部分とを交互に有するように形成してあることを特徴とする、
手すりである。
【０００８】
第３の発明にあっては、
傾斜部に沿って設けたときに立ち上がる部分と本質的に水平な部分とを備えており、当該立ち上がる部分と水平な部分とは長さ方向に交互に設けてあることを特徴とする、
手すりである。
【０００９】
第４の発明にあっては、
第１，第２または第３の発明に係る手すりが設けてあることを特徴とする、
手すり構造体である。
【００１０】
本発明でいう「本質的に正弦曲線状または余弦曲線状」という用語は、厳密な意味での正弦曲線や余弦曲線ではなく、正弦曲線や余弦曲線に近似する波形も含むものとして使用している。
【００１１】
本発明でいう「本質的に水平」という用語は、厳密な意味での水平ではなく、水平に近い斜めも含むものとして使用している。
【００１２】
本発明でいう「手すり」という用語は、階段、スロープ、浴室、トイレ、玄関等に設けるものに限定せず、例えば、電車やバス等の車両において車内上部に水平方向に延びて設けて、転倒防止のために握るためのものや欄干も含む概念として使用している。また、本発明でいう「階段」という用語は、電車やバスなどの昇降口の階段（ステップ）も含む概念として使用している。
【００１３】
（作  用）
本発明に係る手すりを階段に設けた場合を例にとって説明する。
本発明に係る手すりによれば、階段の傾斜に沿うように設けることで、本質的に正弦曲線状または余弦曲線状に形成された部分（一方向に湾曲した部分と、当該湾曲した部分と反対方向に湾曲した部分）によって、本質的に水平な部分（水平方向と水平方向よりやや斜め方向に延びるものも含む）と、立ち上がる部分（垂直方向と垂直方向よりやや斜め方向に延びるものも含む）とが形成される。
【００１４】
階段を上る場合は、通常、手すりの立ち上がる部分や本質的に水平な部分が使用される。手すりのうち立ち上がる部分は、階段を上る場合に、従来の直線的な手すりを握る場合と違って傾斜が急であるので、体のやや前方の部分では手首を殆ど曲げずに自然な状態で握られる。また、手すりのうち本質的に水平な部分は、従来の直線的な手すりよりも傾斜が緩やかであるので、体の脇の部分では手のひらを載せたような状態で握られる。
従って、階段を上る際には、この立ち上がる部分や本質的に水平な部分を握るようにすれば、握力が弱っている高齢者や障害者等でも力を入れた状態で握ることができ、手が手すりから滑りにくい。
【００１５】
階段を下りる場合は、主に手すりの本質的に水平な部分が使用される。手すりのうち本質的に水平な部分は、階段を下りる場合に、従来の直線的な手すりを握る場合と違って傾斜が緩やかであるので、体の脇の部分では手のひらを載せたようにして手首を殆ど曲げずに自然な状態で握られる。
従って、階段を下りる際には、主にこの本質的に水平な部分を握るようにすれば、握力が弱っている高齢者や障害者等でも力を入れた状態で握ることができ、手が手すりから滑りにくい。
【００１６】
本発明に係る手すりをトイレの壁面に斜めに設けた場合を例にとって説明する。
本発明に係る手すりによれば、トイレの壁面に斜めに設けることで、本質的に正弦曲線状または余弦曲線状に形成された部分（一方向に湾曲した部分と、当該湾曲した部分と反対方向に湾曲した部分）によって、略本質的に水平な部分（水平方向と水平方向よりやや斜め方向に延びるものも含む）と、立ち上がる部分（垂直方向と垂直方向よりやや斜め方向に延びるものも含む）とが形成される。
【００１７】
便座に腰掛ける場合は、まず、手すりの上部側の立ち上がる部分や本質的に水平な部分を握る。そして、上部側から段々と握る部分を下部側へ移動させながら斜め後方にかがむ。このように手すりの握る位置を変えながらかがむことにより、かがむ際において腕が伸びず、手が手すりから離れ難くなる。
【００１８】
便座から立ち上がる場合は、腕を伸ばさずに握りやすい位置にある立ち上がる部分や本質的に水平な部分を握ってから体を引き寄せれば良い。これにより立ち上がりが容易にできる。
【００１９】
また、握った手が滑って手すりに沿って移動した場合では、湾曲した部分が抵抗となって手を止めることができる。
【発明の効果】
【００２０】
本発明は上記構成を備え、次の効果を有する。
（ａ）例えば、階段やスロープ等において、手すりを傾斜に沿って設けた場合では、手すりを握りやすい状態で握って上り下りできるので、握力が弱っている高齢者や障害者等でも力を入れた状態で握ることができ、手が手すりから滑りにくい。これにより手を滑らせて転倒等してしまう危険が少ない。また、手すりが握りやすいので、高齢者や障害者等自身において安心感を持つことができる。
【００２１】
（ｂ）例えば、浴室やトイレ、玄関等において、手すりを斜めに設けた場合では、手すりの上部側の立ち上がる部分や本質的に水平な部分を握り、上部側から段々と握る部分を下部側へ移動させ、手すりの握る位置を変えながら斜め後方にかがむことにより、かがむ際において腕が伸びず、手が手すりから離れ難くなる。
これによりかがむ際に手が手すりから離れて臀部等を打ち付けたりする危険が少ない。
また、立ち上がる際は、腕を伸ばさずに握りやすい位置にある立ち上がる部分や本質的に水平な部分を握ってから体を引き寄せれば良いので、立ち上がりも容易である。
更に、握った手が滑っても、滑った手が手すりに沿って移動すれば、手は湾曲した部分が抵抗となって止まり易い。
【発明を実施するための最良の形態】
【００２２】
本発明の実施の形態を図面に基づき更に詳細に説明する。
図１は本発明に係る手すりの第１の実施の形態を示す正面図、
図２は図１に示す手すりの平面図である。
符号Ｔ１は手すりを示している。手すりＴ１は、手すり本体１と、３箇所に設けられた取着金具２と、手すり本体１の両端に設けられたキャップ体３を備えている。
【００２３】
手すり本体１は、所要径を有する丸棒状体（中実体）を、平面視において直線状に、図１に示すように正面視において本質的に正弦曲線状または余弦曲線状に湾曲させて形成してある。
【００２４】
手すり本体１の形状について、更に詳しく説明する。
手すり本体１は、一方向に湾曲した湾曲部１０と、この部分と反対方向に湾曲した湾曲部１１とを交互に連続して、いわば上側と下側が湾曲した波形状に形成してある。この湾曲部１０と湾曲部１１とで挟まれた間には、所要の長さを有する直線部１２が設けてある。なお、湾曲部１０と湾曲部１１の境界は、軸心を通る軸線の曲線状から直線状となる位置と直交する一点鎖線で示している（図１ないし後述する図２３）。
【００２５】
また、湾曲部１０と湾曲部１１は、湾曲部１０の境界を示す一点鎖線上の軸心位置から、前記一点鎖線と直交する方向に延びる直線の軸線ア（ウ）と、直線部１２を挟んで設けられ、湾曲部１１の境界を示す一点鎖線上の軸心位置から、前記一点鎖線と直交する方向に延びる直線の軸線イ（エ）とが、同軸線上になるように設けてある。
【００２６】
更に、この軸線ア、イと、隣り合う軸線ウ、エは、鈍角の開き角度１３で交差させてある（図１参照）。なお、軸線ア、イ、ウ、エは一点鎖線で示している（図１ないし後述する図２３）。手すり本体１は、硬質の合成樹脂で形成してある。
【００２７】
取着金具２は、手すり本体１の両端と、略中央にあたる位置に形成された横方向の直線部１２に設けてある。取着金具２は、手すり本体１の下側を受けるように取り付けられる受け部２０と、壁面に取り付けられる取着部２１と、Ｌ字形状に形成してあり、受け部２０と取着部２１との間に設けてあるブラケット部２２を備えている。取着金具２は金属で形成してあるものを使用したが、例えば、合成樹脂でつくられたものを使用することもできる。
【００２８】
キャップ体３は、内径が手すり本体１の外径よりもやや大きな径を有する、有底筒状に形成してある。キャップ体３はやや柔軟性を有する合成樹脂で形成してある。しかし、キャップ体を形成する材料は、これに限定するものではなく、例えば、金属でつくることもできる。
【００２９】
本実施の形態で示す手すり本体１は、次の数値を有するように形成してある。
外径は略３４ｍｍである。湾曲部１０と湾曲部１１の曲率半径は、略１００ｍｍである。直線部１２の長さは、略９３ｍｍである。隣り合う軸線方向の開き角度１３は、略１００°である。端から端まで直線で測ったときの全長は、略１５００ｍｍである。
【００３０】
図３は図１に示す手すりを階段に取り付けた状態の一実施例を示す説明図である。
符号Ｋ１は、手すりＴ１を備えた階段構造を示している。階段構造Ｋ１は、取着金具２により壁面５に取り付けてある手すりＴ１を備えている。手すりＴ１は、階段４の傾斜に沿って取り付けてあり、湾曲部１０と、湾曲部１１と、直線部１２とで、横方向に延びる部分Ａ（水平な部分）と縦方向に延びる部分Ｂ（立ち上がり部分）とが構成されるようにしてある。本実施の形態で手すりＴ１は、横方向に延びる部分Ａが階段の踏面４０の上方に位置するようにして設けてあり、縦方向に延びる部分Ｂが略踏面４０と踏面４０の間の蹴込面の上方に位置するように設けてある。また、手すりＴ１は、歩行者の腰あたりに位置するような高さに取り付けてある。
【００３１】
（作  用）
図１ないし図３を参照して本発明の実施の形態の作用を説明する。
まず、手すりＴ１を使用して階段を上る場合について説明する。
上記したように階段４の傾斜に沿って取り付けた手すりＴ１には、湾曲部１０と湾曲部１１と直線部１２によって、横方向に延びる部分Ａと縦方向に延びる部分Ｂとが構成される。このうち縦方向に延びる部分Ｂは、階段を上る場合に、従来の直線的な手すりを握る場合と違って傾斜が急であるので、体のやや前方の部分では手首を殆ど曲げずに自然な状態で握られる。
また、横方向に延びる部分Ａは、従来の直線的な手すりよりも傾斜が緩やかであるので、体の脇の部分では手のひらを載せたような状態で握られる。
従って、階段を上る際には、この縦方向に延びる部分Ｂや横方向に延びる部分Ａを握るようにすれば、握力が弱っている高齢者や障害者等でも力を入れた状態で握ることができ、手が手すりから滑りにくい。また、縦方向に延びる部分Ｂを握れば、体を引き寄せるようにして上ることもでき、横方向に延びる部分Ａを握れば、体を押し上げるようにして上ることもできる。
【００３２】
次に、階段を下りる場合について説明する。
階段に取り付けることで構成された横方向に延びる部分Ａは、階段を下りる場合に使用される。横方向に延びる部分Ａは、階段を下りる場合に、従来の直線的な手すりを握る場合と違って傾斜が緩やかであるので、体の脇の部分では手のひらを載せたようにして手首を殆ど曲げずに自然な状態で握られる。
従って、階段を下りる際には、主にこの横方向に延びる部分Ａを握るようにすれば、握力が弱っている高齢者や障害者等でも力を入れた状態で握ることができ、手が手すりから滑りにくい。
【００３３】
また、湾曲部１０と湾曲部１１とで挟まれた間には、直線部１２が備えてある。直線部１２は湾曲した部分よりも握りやすい。従って、階段を上る場合には、縦方向に延びる部分Ｂや横方向に延びる部分Ａに位置する直線部１２を握り、階段を下りる場合には、主に横方向に延びる部分Ａに位置する直線部１２を握ることにより、手が更に滑りにくい。
【００３４】
軸線方向ア、イと軸線方向ウ、エが、鈍角の開き角度１３（略１００°）で交差させてあるので、横方向に延びる部分Ａと縦方向に延びる部分Ｂは、なだらかな状態で連続する。これにより階段の上り下りをする場合でも、手すりＴ１上で手を手すりから離れないように滑らせて移動させることができる。
【００３５】
手すりＴ１は、横方向に延びる部分Ａが階段の踏面４０の上方に位置するようにして設けてあり、縦方向に延びる部分Ｂが略踏面４０と踏面４０の間の蹴込面の上方に位置するように設けてあるので、どの踏面４０に立ったときでも、横方向に延びる部分Ａと縦方向に延びる部分Ｂが所定の位置に配置されており、使い易い。
【００３６】
図４は本発明に係る手すりの第２の実施の形態を示す正面図、
図５は図４に示す手すりの平面図、
図６は図４に示す手すりを階段に取り付けた状態の一実施例を示す説明図である。
なお、図４ないし図６において、上記図１ないし図３で示したものと同一または同等箇所には同一の符号を付して示している。また、以下の説明において構造について上記で示した箇所と重複する説明は省略する。
【００３７】
符号Ｔ２は手すりを示している。手すりＴ２は、手すり本体１ａと、６箇所に設けられた取着金具２と、手すり本体１ａ両端に設けられたキャップ体３を備えている。取着金具２は、手すり本体１ａの両端と、手すり本体１ａを略等間隔で５分割する直線部１２に設けてある。また、符号Ｋ２は手すりＴ２を備えた階段構造を示している。
【００３８】
本実施の形態で示す手すり本体１ａは、次の数値を有するように形成してある。外径は略３４ｍｍである。湾曲部１０と湾曲部１１の曲率半径は、略１００ｍｍである。直線部１２の長さは、略１３０ｍｍである。隣り合う軸線方向の開き角度１３は、略１０５°である。端から端まで直線で測ったときの全長は、略４０００ｍｍである。
階段構造Ｋ２の作用は、上記した階段構造Ｋ１と略同じであるため、説明は省略する。
【００３９】
なお、階段構造Ｋ１，Ｋ２において手すりＴ１，Ｔ２は、横方向に延びる部分Ａが階段の踏面４０の上方に位置するようにして、縦方向に延びる部分Ｂが略踏面４０と踏面４０の間の蹴込面の上方に位置するようにして設けたが、手すりＴ１，Ｔ２の取り付け位置はこれに限定するものではない。例えば、縦方向に延びる部分Ｂが踏面４０上方に位置するように設けることもできる。また、手すりＴ１，Ｔ２は階段の傾斜に沿うように設けてあれば、上記した部分が踏面４０や蹴込面の上方に位置しないように、即ち、階段と対応させずに設けることもできる。
【００４０】
本実施の形態で手すりＴ１，Ｔ２は階段に設けたが、手すりＴ１，Ｔ２を設ける場所はこれに限定するものではない。例えば、手すりＴ１，Ｔ２は、スロープ等に設けることもできる。上記した手すりＴ１，Ｔ２は、主に、歩行する場所に適している。
【００４１】
また、手すりＴ１，Ｔ２は、壁面に取着金具により取り付けてあるが、これも限定するものではない。例えば、支柱を垂設して、この支柱の上部側に取り付けるようにすることもできる。
【００４２】
図７は本発明に係る手すりの第３の実施の形態を示す正面図、
図８は図７に示す手すりの平面図である。
なお、図７及び図８において、上記図１ないし図６で示したものと同一または同等箇所には同一の符号を付して示している。また、以下の説明において構造について上記で示した箇所と重複する説明は省略する。
【００４３】
符号Ｔ３は手すりを示している。手すりＴ３は、手すり本体１ｂと、両端に設けられた取着金具２ｂと、手すり本体１ｂの両端に設けられたキャップ体３を備えている。手すり本体１ｂは、上記手すりＴ１、Ｔ２で示すような直線部は備えていない。
【００４４】
取着金具２ｂは、手すり本体１ｂの側部に取り付けられる受け部２０ｂと、壁面５に取り付けられる取着部２１ｂと、Ｉ字形状に形成してあり、受け部２０ｂと取着部２１ｂとの間に設けてあるブラケット部２２ｂを備えている。
【００４５】
本実施の形態で示す手すり本体１ｂは、次の数値を有するように形成してある。外径は略３４ｍｍである。湾曲部１０と湾曲部１１の曲率半径は、略１００ｍｍである。隣り合う軸線方向の開き角度１３は、略９５°である。端から端まで直線で測ったときの全長は、略６００ｍｍである。
【００４６】
図９は図７に示す手すりをトイレに取り付けた状態の一実施例を示す説明図である。
符号Ｋ３は、手すりＴ３を備えたトイレ構造を示している。トイレ構造Ｋ３は、取着金具２ｂによりトイレの壁面５に取り付けてある手すりＴ３を備えている。手すりＴ３は、長さ方向が斜めになるように取り付けてあり、湾曲部１０と湾曲部１１のうち横方向に延びる部分が、略水平な状態になるようにして設けてある。また、手すりＴ３は、使用者が便座に腰掛けた状態で手が届く位置に取り付けてある。
【００４７】
（作  用）
図７ないし図９を参照して本発明の実施の形態の作用を説明する。
なお、上記した階段構造Ｋ１，Ｋ２と共通する構成により生じる同様の作用、効果については説明を省略し、相違する点についてのみ説明する。
【００４８】
手すりＴ３は、便座から立ち上がったり便座に腰掛けたりするときに握って使用される。
例えば、便座に腰掛ける場合は、手すりＴ３の上部側の横方向に延びる部分や縦方向に延びる部分を握る。そして、上部側から段々と握る部分を下部側へ移動させながら斜め後方にかがむ。このように手すりの握る位置を変えながらかがむことにより、かがむ際において腕が伸びず、手が手すりから離れ難くなる。従って、手が離れることで臀部等を打ち付けたりする危険が少ない。
【００４９】
また、便座から立ち上がる場合は、腕を伸ばさずに握りやすい位置にある横方向に延びる部分や縦方向に延びる部分を握って、体を引き寄せれば良いので、立ち上がりが容易にできる。
【００５０】
更に、手すりＴ３は、握った手が滑って手すりＴ３に沿って移動した場合でも、湾曲した部分が抵抗となって手を止めることができる。
【００５１】
本実施の形態で手すりＴ３は、長さ方向が斜めになるように壁面５に取り付けたが、手すりＴ３を取り付ける状態は、これに限定するものではなく、例えば、長さ方向が、横向きになるように、また縦向きになるように設けることもできる。
【００５２】
図１０は本発明に係る手すりの第４の実施の形態を示す正面図、
図１１は図１０に示す手すりの平面図である。
なお、図１０及び図１１において、上記図１ないし図９で示したものと同一または同等箇所には同一の符号を付して示している。また、以下の説明において構造について上記で示した箇所と重複する説明は省略する。
【００５３】
符号Ｔ４は手すりを示している。手すりＴ４は、手すり本体１ｃと、両端に設けられた取着金具２ｃと、手すり本体１ｃの直線部１５ｃ（後述）に設けられた取着金具２を備えている。手すり本体１ｃの湾曲部１０，１１の間には、上記手すりＴ１、Ｔ２で示すような直線部は備えていない。
【００５４】
手すり本体１ｃの一端部には、湾曲部１０から延びるようにして直線部１４ｃが設けてあり、他端部には湾曲部１１から延びるようにして直線部１５ｃが設けてある。直線部１４ｃと直線部１５ｃは、水平方向に略平行になるように形成してある。取着金具２は、直線部１５ｃの湾曲部１１寄りの箇所に設けてある。
【００５５】
取着金具２ｃは、手すり本体１ｃの端部に被さるキャップ部を備え、Ｌ字形状に形成してあるブラケット部２０ｃと、壁面に取り付けられる取着部２１ｃを備えている。
【００５６】
本実施の形態で示す手すり本体１ｃは、次の数値を有するように形成してある。外径は略３２ｍｍである。湾曲部１０と湾曲部１１の曲率半径は、略１１０ｍｍである。直線部１４ｃの長さは、略１００ｍｍである。直線部１５ｃの長さは、略３００ｍｍである。隣り合う軸線方向の開き角度１３は、略１１０°である。
【００５７】
図１２は図１０に示す手すりをトイレに取り付けた状態の一実施例を示す説明図である。
符号Ｋ４は、手すりＴ４を備えたトイレ構造を示している。トイレ構造Ｋ４は、取着金具２，２ｃによりトイレの壁面５に取り付けてある手すりＴ４を備えている。手すりＴ４は、湾曲部１０と湾曲部１１のうち横方向に延びる部分及び直線部１４ｃ，１５ｃが、略水平な状態になるように設けてある。また、手すりＴ４は、使用者が便座に腰掛けた状態で、略真横に直線部１５ｃが配置されるように取り付けてある。
【００５８】
（作  用）
図１０ないし図１２を参照して本発明の実施の形態の作用を説明する。
なお、上記した階段構造Ｋ１，Ｋ２、トイレ構造Ｋ３と共通する構成により生じる同様の作用、効果については説明を省略し、相違する点についてのみ説明する。
【００５９】
手すりＴ４は、便座から立ち上がったり便座に腰掛けたりするときに握って使用される。手すりＴ４は、便座の略真横に直線部１５ｃが配置されるように設けてあるので、直線部１５ｃを握ったままかがんで便座に腰掛けることができる。
また、直線部１５ｃを握って腕を伸ばすことで、体を上方に押し上げるようにして立ち上がることもできる。
【００６０】
図１３は本発明に係る手すりの第５の実施の形態を示す正面図、
図１４は図１３に示す手すりの平面図である。
なお、図１３及び図１４において、上記図１ないし図１２で示したものと同一または同等箇所には同一の符号を付して示している。また、以下の説明において構造について上記で示した箇所と重複する説明は省略する。
【００６１】
符号Ｔ５は手すりを示している。手すりＴ５は、手すり本体１ｄと、両端に設けられた取着金具２ｃと、手すり本体１ｄの直線部１５ｄ（後述）に設けられた取着金具２を備えている。手すり本体１ｄの湾曲部１０，１１の間には、上記手すりＴ１、Ｔ２で示すような直線部は備えていない。
【００６２】
手すり本体１ｄの一端部には、湾曲部１１から延びるようにして直線部１４ｄが設けてあり、他端部には湾曲部１１から延びるようにして直線部１５ｄが設けてある。直線部１４ｄと直線部１５ｄは、垂直方向と水平方向に略直交するように形成してある。直線部１４ｄと直線部１５ｄは、略同じ長さを有している。
【００６３】
本実施の形態で示す手すり本体１ｄは、次の数値を有するように形成してある。外径は略３２ｍｍである。湾曲部１０と湾曲部１１の曲率半径は、略１１０ｍｍである。直線部１４ｄ及び直線部１５ｄの長さは、共に略３００ｍｍである。
隣り合う軸線方向の開き角度１３は、略１１０°である。
【００６４】
図１５は図１２に示す手すりをトイレに取り付けた状態の一実施例を示す説明図である。
符号Ｋ５は、手すりＴ５を備えたトイレ構造を示している。トイレ構造Ｋ５は、取着金具２，２ｃによりトイレの壁面５に取り付けてある手すりＴ５を備えている。手すりＴ５は、湾曲部１０と湾曲部１１のうち横方向に延びる部分及び直線部１５ｄが、略水平な状態になるように設けてある。また、手すりＴ５は、使用者が便座に腰掛けた状態で、略真横に直線部１５ｄが配置されるように取り付けてある。
【００６５】
（作  用）
図１３ないし図１５を参照して本発明の実施の形態の作用を説明する。
なお、上記した階段構造Ｋ１，Ｋ２、トイレ構造Ｋ３、Ｋ４と共通する構成により生じる同様の作用、効果については説明を省略し、相違する点についてのみ説明する。
【００６６】
手すりＴ５は、便座から立ち上がったり便座に腰掛けたりするときに握って使用される。手すりＴ５は、便座のやや前方に直線部１４ｄが配置されるように設けてあるので、直線部１４ｄを握って座り始めることで、使い始めが従来のＬ字状の手すりと同じような感覚で使用できる。このため上記した手すりを使用したことがあれば、手すりＴ５を初めて使用する場合でも安心感がある。
【００６７】
図１６は本発明に係る手すりの第６の実施の形態を示す正面図、
図１７は図１６に示す手すりの平面図である。
なお、図１６及び図１７において、上記図１ないし図１５で示したものと同一または同等箇所には同一の符号を付して示している。また、以下の説明において構造について上記で示した箇所と重複する説明は省略する。
【００６８】
符号Ｔ６は手すりを示している。手すりＴ６は、手すり本体１ｅと、取着金具２ｅを備えている。手すり本体１ｅの湾曲部１０，１１の間には、上記手すりＴ１、Ｔ２で示すような直線部は備えていない。
【００６９】
手すり本体１ｅの一端部には湾曲部１０から延びるようにして直線部１４ｅが設けてある。更に直線部１４ｅの端部からは湾曲部１６０を介して下方に延びる支柱部１６が設けてある。また、手すり本体１ｅの他端部には湾曲部１１から延びるようにして直線部１５ｅが設けてある。直線部１４ｅと直線部１５ｅは、水平方向に略平行になるように形成してある。直線部１５ｅの端部からは湾曲部１７０を介して下方に延びる支柱部１７が設けてある。
【００７０】
取着金具２ｅは、支柱部１６，１７を挿通させて下端よりやや上部の位置に取り付けてあり、下端が下方に突出するようにしてある。取着金具２ｅは、円管状の挿通部２０ｅと、床面に取り付けられる取着部２１ｅを備えている。
【００７１】
本実施の形態で示す手すり本体１ｅは、次の数値を有するように形成してある。外径は略３４ｍｍである。湾曲部１０と湾曲部１１の曲率半径は、略１１０ｍｍである。隣り合う軸線方向の開き角度１３は、略１１０°である。直線部１４ｄの長さは、略１５０ｍｍである。直線部１５ｄの長さは、略３００ｍｍである。支柱部１６の長さは、略８００ｍｍである。支柱部１７の長さは、略６００ｍｍである。湾曲部１６０と湾曲部１７０の曲率半径は、略３５ｍｍである。  
【００７２】
図１８は図１６に示す手すりをトイレに取り付けた状態の一実施例を示す説明図である。
符号Ｋ６は、手すりＴ６を備えたトイレ構造を示している。トイレ構造Ｋ６は、手すり本体１ｅの下端をトイレの床面６に差し込み、取着金具２ｅによって取り付けてある手すりＴ６を備えている。手すりＴ６は、湾曲部１０と湾曲部１１のうち横方向に延びる部分及び直線部１４ｅ，１５ｅが、略水平な状態になるようにして設けてある。また、手すりＴ６は、使用者が便座に腰掛けた状態で、略真横に直線部１５ｅが配置されるように取り付けてある。
【００７３】
図１６ないし図１８を参照して本発明の実施の形態の作用を説明する。
なお、上記した階段構造Ｋ１，Ｋ２、トイレ構造Ｋ３、Ｋ４、Ｋ５と共通する構成により生じる同様の作用、効果については説明を省略し、相違する点についてのみ説明する。
【００７４】
手すりＴ６は、便座から立ち上がったり便座に腰掛けたりするときに握って使用される。手すりＴ６は、支柱部１６，１７をトイレの床面６に差し込んで設けてあるので、直線部１５ｅを握ったままかがんだり、直線部１５ｅを握って体を押し上げるようにして立ち上がったりした場合の垂直方向にかかる力に対して、高い強度を有する。
【００７５】
本実施の形態で手すりＴ３，Ｔ４，Ｔ５，Ｔ６はトイレに設けた場合を示したが、手すりＴ３，Ｔ４，Ｔ５，Ｔ６を設ける場所はこれに限定するものではない。手すりＴ３，Ｔ４，Ｔ５，Ｔ６は、例えば、玄関、浴室、洗面所等に設けることもでき、主に、立ち上がったり、かがんだりする場所に適している。
【００７６】
図１９は本発明に係る手すりの第７の実施の形態を示しており、この手すりを階段に取り付けた状態の一実施例を示す説明図である。
図２０は図１９で示す一部を省略したＡ−Ａ断面図である。
なお、図１９及び図２０において、上記図１ないし図６で示したものと同一または同等箇所には同一の符号を付して示している。また、以下の説明において構造について上記で示した箇所と重複する説明は省略する。
【００７７】
符号Ｔ７は手すりを示しており、符号Ｋ７は手すりＴ７を備えた階段構造を示している。手すりＴ７は、手すり本体１ｆに滑り止め部１８を設けたものである。手すり本体１ｆは、滑り止め部１８を除けば、図１に示した手すり本体１と略同じ形状を有している。滑り止め部１８は、手すり本体１ｆの上面側の表面に、長さ方向に延びる凹部１８０を幅方向（周方向）に所要間隔を設けて複数形成することで設けてある（凹部１８０を形成することで凹部１８０間には相対的に凸部が形成される）。滑り止め部１８は手すり本体１ｆの略全長にわたり設けてある。
【００７８】
本実施の形態で示す滑り止め部１８は、手すり本体１ｆの表面に長さ方向に延びる凹部１８０を形成することで設けたが、滑り止め部はこれに限定するものではなく、例えば、手すり本体の表面に長さ方向に延びる凸部を形成して設けることもできるし、手すり本体の表面に幅方向に延びる凹部や凸部を形成して設けることもできる。また、手すり本体の表面に滑り止め効果を有する凹部や凸部を、点状、線状、隆起状等、任意に形成したり、手すり本体の表面に滑り止め部材（形状により滑り止め効果を有するものや材料自体により滑り止め効果を有するもの等）を取り付けたりして設けることもできる。
【００７９】
（作  用）
図１９及び図２０を参照して本発明の実施の形態の作用を説明する。
なお、上記した階段構造Ｋ１，Ｋ２と共通する構成により生じる同様の作用、効果については説明を省略し、相違する点についてのみ説明する。
【００８０】
階段構造Ｋ７で示す手すりＴ７を握った場合では、握った手と手すりＴ７との間に、滑り止め部が設けられていないものよりも高い摩擦抵抗を生じさせることができる。これにより手すりＴ７から手が滑って離れ難く、手すりＴ７の安全性が向上する。
【００８１】
図２１は本発明に係る手すりの第８の実施の形態を示しており、この手すりを階段に取り付けた状態の一実施例を示す説明図である。
なお、図２１において、上記図１ないし図６で示したものと同一または同等箇所には同一の符号を付して示している。また、以下の説明において構造について上記で示した箇所と重複する説明は省略する。
【００８２】
符号Ｔ８は手すりを示しており、符号Ｋ８は手すりＴ８を備えた階段構造を示している。手すりＴ８は、手すり本体１ｇに点字部材１９０ａ，１９０ｂ，１９１ａ，１９１ｂを設けたものである。手すり本体１ｇは、点字部材１９０ａ，１９０ｂ，１９１ａ，１９１ｂを除けば、図１に示した手すり本体１と略同じ形状を有している。点字部材１９０ａ，１９０ｂ，１９１ａ，１９１ｂは、長方形状の薄い金属板を手すりの表面形状に沿うように幅方向に湾曲させてあり、表面には、裏面から押されてできた凸部による点字部が形成してある。
【００８３】
点字部材１９０ａ，１９０ｂは、湾曲部１０寄りの直線部１２上に取り付けてある。詳しくは、点字部材１９０ａは、縦方向に延びる部分Ｂの湾曲部１０寄りの箇所の全てに取り付けてある。また、点字部材１９０ｂは、横方向に延びる部分Ａの湾曲部１０寄りの箇所の全てに取り付けてある。
点字部材１９１ａは、手すりＴ８の下端側（キャップ体３の近傍）に取り付けてあり、点字部材１９１ｂは、手すりＴ８の上端側（キャップ体３の近傍）に取り付けてある。
【００８４】
本実施の形態で縦方向に延びる部分Ｂの点字部材１９０ａには、点字により「あと何段で階段を上りきることができる」という情報が、また、横方向に延びる部分Ａの点字部材１９０ｂには、「あと何段で階段を下りきることができる」という情報が提供できるようにしてある。更に、点字部材１９０ａには、「ここからは何段の上りの階段がある」という情報が、点字部材１９０ｂには、「ここからは何段の下りの階段がある」という情報が提供できるようにしてある。
【００８５】
（作  用）
図２１を参照して本発明の実施の形態の作用を説明する。
なお、上記した階段構造Ｋ１，Ｋ２と共通する構成により生じる同様の作用、効果については説明を省略し、相違する点についてのみ説明する。
【００８６】
例えば、盲目者が手すりＴ８を使用して階段を上る場合について説明する。
盲目者は通常、杖等によって階段を確認すると、この階段を上るために手すりを探す。そして手すりを見付けると、端側から握ってこの手すりに沿って階段を上り始める。
【００８７】
このように盲目者は、階段を確認した場合では、上るために手すりＴ８を探すので、これにより端部に設けてある点字部材１９１ａに触れることができ、「ここからは何段の上りの階段がある」という情報を伝えることができる。
【００８８】
そして、手すりＴ８に沿って上ることにより、縦方向に延びる部分Ｂが握られ点字部材１９０ａが順次触られる。これにより盲目者に「あと何段で階段を上りきることができる」という情報を階段を上る都度伝えることができる。
【００８９】
盲目者が手すりＴ８を使用して階段を下りる場合について説明する。
盲目者は、階段を下りる場合でも上記したように手すりを握ってこの手すりに沿って階段を下りる。
従って、手すりＴ８では、点字部材１９０ｂにより「ここからは何段の下りの階段がある」という情報を伝えることができる。
【００９０】
そして、手すりＴ８に沿って下りることにより、横方向に延びる部分Ａが握られ点字部材１９１ｂが順次触られる。これにより盲目者に「あと何段で階段を下りきることができる」という情報を階段を下る都度伝えることができる。
【００９１】
上記したように手すりＴ８では、点字により盲目者に階段に関する情報を伝えることができるので、盲目者は安心して階段を上り下りできる。
【００９２】
なお、点字部材によって伝える情報は、上記したものに限定するものではない。例えば、「階段を上ったところはどのようになっている」、「階段を下ったところはどのようになっている」等の情報を伝えることもできる。
【００９３】
本実施の形態で点字部材は、横方向に延びる部分Ａと縦方向に延びる部分Ｂの全ての箇所に取り付けたが、点字部材を取り付ける位置は限定するものではなく、例えば、横方向に延びる部分Ａのみに取り付けることもできるし、縦方向に延びる部分Ｂのみに取り付けることもできる。また、全ての横方向に延びる部分Ａと縦方向に延びる部分Ｂに取り付けずに、所要間隔を設けて取り付けることもできる。更には、湾曲部１０や湾曲部１１に取り付けることも可能である。
【００９４】
本実施の形態で点字部材は、金属板で形成したものを示したが、点字部材はこれに限定するものではなく、例えば、合成樹脂、陶磁器、木材で形成したものも使用できる。また、点字部材を取り付けず、点字を構成する凸部を手すり本体１ｇの成形時に設けることもできる。
【００９５】
図２２は本発明に係る手すりの第９の実施の形態を示しており、この手すりを階段に取り付けた状態の一実施例を示す説明図である。
なお、図２２において、上記図１ないし図６で示したものと同一または同等箇所には同一の符号を付して示している。また、以下の説明において構造について上記で示した箇所と重複する説明は省略する。
【００９６】
符号Ｔ９は手すりを示しており、符号Ｋ９は手すりＴ９を備えた階段構造を示している。手すりＴ９は手すり本体１ｈを備えている。手すりＴ９は、階段４の傾斜に沿って取り付けてあり、横方向に延びる部分が、縦方向に延びる部分よりも幅方向に広い、断面略楕円形状を有するように形成してある。図２２において手すりＴ９の幅広部は符号７で示している。
【００９７】
本実施の形態で示す手すり本体１ｈは、次の数値を有するように形成してある。縦方向に延びる部分の外径は略３４ｍｍである。横方向に延びる部分の外径は、横幅が略５０ｍｍ、縦方向の厚みが略３０ｍｍである。湾曲部１０と湾曲部１１の曲率半径は、略１１０ｍｍである。隣り合う軸線方向の開き角度１３は、略１１０°である。
【００９８】
（作  用）
図２２を参照して本発明の実施の形態の作用を説明する。
なお、上記した階段構造Ｋ１，Ｋ２と共通する構成により生じる同様の作用、効果については説明を省略し、相違する点についてのみ説明する。
手すりＴ９によれば、横方向に延びる部分が幅方向に広く形成してあるので、例えば、幅広部７に肘等を載せて体重をかけ、この肘等を支えとして階段の上り下りができる。このようにすれば手すりが握れないまたは握力が弱っている高齢者や障害者等でも、階段の上り下りができる。
【００９９】
図２３は本発明に係る手すりの第１０の実施の形態を示しており、この手すりを電車の車内上方に取り付けた状態の一実施例を示す説明図である。
なお、図２３において、上記図１ないし図６で示したものと同一または同等箇所には同一の符号を付して示している。また、以下の説明において構造について上記で示した箇所と重複する説明は省略する。
【０１００】
符号Ｋ１０は、手すりＴ１０を備えた車両構造を示している。車両構造Ｋ１０は、天井より垂設してある固定部材８により長さ方向が略水平になるように取り付けてある手すりＴ１０を備えている。手すりＴ１０は、手すり本体１ｉと、手すり本体１ｉの湾曲部１０頂部と湾曲部１１頂部から垂れ下げて設けてある吊革９を備えている。手すり本体１ｉは、湾曲部１０が上方に膨出し、湾曲部１１が下方に膨出するように設けてある。
【０１０１】
湾曲部１０と湾曲部１１に設けてある吊革９は、所要長さを有する革ひも９１と、革ひも９１の下端部に設けてある握り部９０を備えている。本実施の形態で示す革ひも９１は、握り部９０までの長さが同じである。このため隣り合う吊革９では、握り部９０の高さが異なっている。手すり本体１ｉの湾曲部１０，１１の間には、上記手すりＴ１、Ｔ２で示すような直線部は備えていない。手すりＴ１０は、乗客が腕を上方に上げて握ることが可能な程度の高さに取り付けてある。
【０１０２】
本実施の形態で示す手すり本体１ｉは、次の数値を有するように形成してある。外径は略３４ｍｍである。湾曲部１０と湾曲部１１の曲率半径は、略３５０ｍｍである。隣り合う軸線方向の開き角度１３は、略１３０°である。
【０１０３】
（作  用）
図２３を参照して本発明の実施の形態の作用を説明する。
手すりＴ１０によれば、湾曲部１０が上方に膨出し、湾曲部１１が下方に膨出するように手すり本体１ｉを設けて、握り部の高さの異なる手すりが形成してある。また、手すり本体１ｉを握った場合では、手が滑って手すりＴ１０に沿って移動しても、湾曲した部分が抵抗となって手を止めることができる。
【０１０４】
手すりＴ１０によれば、同じ長さの吊革９を湾曲部１０と湾曲部１１の頂部に設けることで、握り部９０の高さの異なる吊革９が簡単に形成できる。手すり本体１ｉや湾曲部１０に設けられた吊革９は背の高い人が握るのに好適であり、湾曲部１１に設けられた吊革９は背の低い人が握るのに好適である。
【０１０５】
なお、上記した各実施の形態で手すり本体１，１ａ，１ｂ，１ｃ，１ｄ，１ｅ，１ｆ，１ｇ，１ｈ（１ｈの横方向に延びる部分を除く），１ｉは、しっかりと握ることができるようにやや細い外径を有するようにしてあるが、手すり本体の外径は特に限定するものではなく、用途や使用される場所によって適宜設定が可能である。例えば、階段用の手すりであれば、３０〜５０ｍｍの間で設定されることが好ましい。更に好ましくは、３０〜４０ｍｍであり、最も好ましくは、３３〜３５ｍｍである。また、玄関やトイレ等に使用する手すりであれば、３０〜５０ｍｍの間で設定されることが好ましい。更に好ましくは、３０〜４０ｍｍであり、最も好ましくは、３２〜３５ｍｍである。更に、車両内に吊革を備えて設けられる手すりであれば、３０〜５０ｍｍの間で設定されることが好ましい。更に好ましくは、３０〜４０ｍｍであり、最も好ましくは、３４〜３５ｍｍである。
【０１０６】
手すり本体１，１ａ，１ｂ，１ｃ，１ｄ，１ｅ，１ｆ，１ｇ，１ｈ（１ｈの横方向に延びる部分を除く），１ｉの形状も丸棒状に限定するものではなく、例えば、略平板状で上面に波形状部があるもの、略三角棒状、略四角棒状、略五角棒状、略六角棒状、それ以上の多角棒状、略楕円棒状、略三角管状、略四角管状、略五角管状、略六角管状、それ以上の多角管状、略円管状、略楕円管状に形成するこもできる。
【０１０７】
湾曲部間の直線部１２の長さも上記した実施の形態で示すものに限定するものではなく、用途や使用される場所によって適宜設定が可能である。例えば、階段用の手すりであれば、３００ｍｍ以下の間で設定されることが好ましい。更に好ましくは、２００ｍｍ以下であり、最も好ましくは、１５０ｍｍ以下である。しかし、場合によっては直線部１２は備えないようにすることもできる。
【０１０８】
また、湾曲部の間に直線部を備えていないものについては、直線部を備えることもできる。例えば、玄関やトイレ等に使用する手すりであれば、２００ｍｍ以下の間で設定されることが好ましい。更に好ましくは、１５０ｍｍ以下であり、最も好ましくは、１００ｍｍ以下である。車両内に設けられる手すりであれば、２５０ｍｍ以下の間で設定されることが好ましい。更に好ましくは、２００ｍｍ以下であり、最も好ましくは、１５０ｍｍ以下である。
【０１０９】
直線部１４ｃ、１４ｄ、１４ｅ、１５ｃ、１５ｄ、１５ｅや支持部１６，１７の長さは、特に限定するものではなく、用途や使用される場所によって適宜設定が可能である。
【０１１０】
また、開き角度１３も上記した実施の形態で示すものに限定するものではなく、用途や使用される場所によって適宜設定が可能である。なお、上記した実施の形態で示すものは全て鈍角の角度を有するようにしてあるが、これも限定するものではなく、例えば、直角にすることもできるし、またやや鋭角にすることもできる。例えば、階段用の手すりであれば、９０°〜１５０°の間で設定されることが好ましい。更に好ましくは、１００°〜１３０°であり、最も好ましくは、１０５°〜１２０°である。また、玄関やトイレ等に使用する手すりであれば、７０°〜１５０°の間で設定されることが好ましい。更に好ましくは、８０°〜１４０°であり、最も好ましくは、９０°〜１３０°である。更に、車両内に設けられる手すりであれば、１００°〜１７０°の間で設定されることが好ましい。更に好ましくは、１２０°〜１６０°であり、最も好ましくは、１３０°〜１５０°である。
【０１１１】
直線で測ったときの全長も上記した実施の形態で示すものに限定するものではなく、用途や使用される場所によって適宜設定が可能である。また、手すりは、所要長さを有する手すり本体を所要本数つないで形成することもできる。
【０１１２】
手すりＴ９の横方向に延びる部分も上記した実施の形態で示すものに限定するものではなく、用途や使用される場所によって適宜設定が可能である。例えば、横幅は、３５〜１００ｍｍの間で設定されることが好ましい。厚みは、２０〜５０ｍｍの間で設定されることが好ましい。しかし、これに限定するものではない。
また、手すりＴ９で横方向に延びる部分は、断面略楕円形状に限定するものではなく、例えば、断面略長方形状や断面略Ｔ字状等にすることもでき、少なくとも上面側が幅広に形成されていれば良い。
【０１１３】
手すり本体１，１ａ，１ｂ，１ｃ，１ｄ，１ｅ，１ｆ，１ｇ，１ｈ，１ｉを形成する材料は、特に限定するものではなく、例えば、合成樹脂、木材、金属、陶磁器等で形成できる。
【０１１４】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能である。
【図面の簡単な説明】
【０１１５】
【図１】本発明に係る手すりの第１の実施の形態を示す正面図。
【図２】図１に示す手すりの平面図。
【図３】図１に示す手すりを階段に取り付けた状態の一実施例を示す説明図。
【図４】本発明に係る手すりの第２の実施の形態を示す正面図。
【図５】図４に示す手すりの平面図。
【図６】図４に示す手すりを階段に取り付けた状態の一実施例を示す説明図。
【図７】本発明に係る手すりの第３の実施の形態を示す正面図。
【図８】図７に示す手すりの平面図。
【図９】図７に示す手すりをトイレに取り付けた状態の一実施例を示す説明図。
【図１０】本発明に係る手すりの第４の実施の形態を示す正面図。
【図１１】図１０に示す手すりの平面図。
【図１２】図１０に示す手すりをトイレに取り付けた状態の一実施例を示す説明図。
【図１３】本発明に係る手すりの第５の実施の形態を示す正面図。
【図１４】図１３に示す手すりの平面図。
【図１５】図１２に示す手すりをトイレに取り付けた状態の一実施例を示す説明図。
【図１６】本発明に係る手すりの第６の実施の形態を示す正面図。
【図１７】図１６に示す手すりの平面図。
【図１８】図１６に示す手すりをトイレに取り付けた状態の一実施例を示す説明図。
【図１９】本発明に係る手すりの第７の実施の形態を示しており、この手すりを階段に取り付けた状態の一実施例を示す説明図。
【図２０】図１９で示す一部を省略したＡ−Ａ断面図。
【図２１】本発明に係る手すりの第８の実施の形態を示しており、この手すりを階段に取り付けた状態の一実施例を示す説明図。
【図２２】本発明に係る手すりの第９の実施の形態を示しており、この手すりを階段に取り付けた状態の一実施例を示す説明図。
【図２３】本発明に係る手すりの第１０の実施の形態を示しており、この手すりを電車の車内上方に取り付けた状態の一実施例を示す説明図。
【符号の説明】
【０１１６】
Ｔ１、Ｔ２、Ｔ３、Ｔ４、Ｔ５、Ｔ６、Ｔ７、Ｔ８、Ｔ９、Ｔ１０  手すり
Ｋ１、Ｋ２、Ｋ７、Ｋ８、Ｋ９  階段構造
Ｋ３、Ｋ４、Ｋ５、Ｋ６  トイレ構造
Ｋ１０  車両構造
Ａ  横方向に延びる部分
Ｂ  縦方向に延びる部分
１、１ａ、１ｂ、１ｃ、１ｄ、１ｅ、１ｆ、１ｇ、１ｈ、１ｉ  手すり本体
１０、１１  湾曲部
１２  直線部
１３  開き角度
１４ｃ、１４ｄ、１４ｅ  直線部
１５ｃ、１５ｄ、１５ｅ  直線部
１６  直線部
１７  直線部
１８  滑り止め部
１８０  凹部
１９０ａ、１９０ｂ、１９１ａ、１９１ｂ  点字部材
２、２ｂ、２ｃ、２ｅ  取着金具
２０、２０ｂ、２０ｅ  受け部
２０ｃ  ブラケット部
２１、２１ｂ、２１ｃ、２１ｅ  取着部
２２、２２ｂ  ブラケット部
３  キャップ体
４  階段
４０  踏面
５  壁面
６  床面
７  幅広部
８  固定部材
９  吊革
９０  握り部
９１  革ひも
【図１】
2004156437.tif 000003
【図２】
2004156437.tif 000004
【図３】
2004156437.tif 000005
【図４】
2004156437.tif 000006
【図５】
2004156437.tif 000007
【図６】
2004156437.tif 000008
【図７】
2004156437.tif 000009
【図８】
2004156437.tif 000010
【図９】
2004156437.tif 000011
【図１０】
2004156437.tif 000012
【図１１】
2004156437.tif 000013
【図１２】
2004156437.tif 000014
【図１３】
2004156437.tif 000015
【図１４】
2004156437.tif 000016
【図１５】
2004156437.tif 000017
【図１６】
2004156437.tif 000018
【図１７】
2004156437.tif 000019
【図１８】
2004156437.tif 000020
【図１９】
2004156437.tif 000021
【図２０】
2004156437.tif 000022
【図２１】
2004156437.tif 000023
【図２２】
2004156437.tif 000024
【図２３】
2004156437.tif 000025